(57)【要約】      （修正有）【課題】電磁波を利用して発音や発光を行うための発音回路を有する、遊び心のあるICカードケースを提供する。【解決手段】本体部100の裏面に設置されるカードホルダー部と厚肉の板状体形状である本体部100を有し、この本体部100に音声データが格納される音声メモリを内蔵した音声ICとこの音声ICに接続されるスピーカ・バッテリー・アンテナコイルにより構成される発音回路を内蔵し、前記音声ICは、アンテナコイルが電磁波を受信した時、音声メモリからキャラクタなどの音声データを読み出して音声信号をスピーカに出力する制御手段を有する。また、この発音回路を本体部100の内部に備え、さらに前記本体部100の内部に音声ICに接続された発光手段を外部から視認可能に備え、この発光手段を制御手段によりスピーカの発音時に発光させる。【選択図】図１
0003116091.tif 000002
【実用新案登録請求の範囲】
【請求項１】
ICカードを収納するカードホルダー部を備えたICカードケースであって、音声データが格納される音声メモリを内蔵した音声ICとこの音声ICに接続されるスピーカ・バッテリー・アンテナコイルにより構成される発音回路を本体部に内蔵することを特徴とするICカードケース。
【請求項２】
カードホルダー部は、本体部の裏面と略一致した平面形状であって、長辺壁面上部及び短辺壁面上部に爪を有し、本体部は裏面の長辺側周縁と短辺側周縁にホールド孔を有してカードホルダー部を着脱自在とされていることを特徴とする、請求項１に記載したICカードケース。
【請求項３】
前記音声ICは、アンテナコイルが電磁波を受信した時、音声メモリからデータを読み出して音声信号をスピーカに出力する制御手段を有することを特徴とする、請求項１または２に記載したICカードケース。
【請求項４】
前記本体部は、厚肉の板状体形状であることを特徴とする、請求項１乃至３の何れかに記載のICカードケース。
【請求項５】
前記本体部の内部に音声ICに接続された発光手段を有し、発光手段は外部から視認可能とされ、この発光手段を制御手段によりスピーカの発音時に発光させることを特徴とする、請求項３または４に記載のICカードケース。
【請求項６】
前記発光手段が、LEDであることを特徴とする、請求項５記載のICカードケース。
【請求項７】
前記音声データは、キャラクタやタレントの声を録音したものであることを特徴とする、請求項１乃至６の何れかに記載のICカードケース。
【請求項８】
前記本体部にモニタスイッチを有し、モニタスイッチがオン状態とされると制御手段は音声信号をスピーカに出力することを特徴とする、請求項３乃至７の何れかに記載のICカードケース。
【考案の詳細な説明】
【技術分野】
【０００１】
本考案は、電磁波を利用してデータの交信などを行うICカードを収納するためのICカードケースに関するものであり、尚詳しくは、発声発光機構を備えたICカードケースに関するものである。
【背景技術】
【０００２】
今日、磁気カードに代わってICカードが広く用いられており、このICカードには接触式と非接触式とがあり、これらはリーダライタとのデータの送受信及び電力供給の方法が異なるものである。
接触式ICカードは、表面に接点端子が露出しており、この接点端子とリーダライタの端子とを接触させることにより、電力の供給を受けると共にデータの送受信を行うものである。これに対して、非接触式ICカードは、カードに内蔵されたアンテナコイルにより、リーダライタの発する電波を受信させることで電力の供給を受けると共にデータの送受信を行うものである。
【０００３】
近年、非接触式ICカードが広く採用されており、この非接触式ICカードは、プラスチック製のカードに、半導体チップとアンテナコイルとが内蔵されるものである。
半導体チップは、CPU、RAM、ROM、EEPROM、インターフェースなどから構成される。半導体チップは、CPUにより処理を制御し、暗号の演算処理を行ったデータに基づいて、RAMに一時的なデータを読み書きし、電気的に内容を書き換えることのできるEEPROMにデータを格納し、インターフェースによりICカードと外部との通信制御を実施するものである。
アンテナコイルは、リーダライタとのデータ交換と半導体チップへの電力供給を行うものである。
【０００４】
このように非接触式ICカードは、カードリーダ・ライタの端子に直接に接触させることなくデータの送受信が可能であり、データの送受信を高速に行うことができるため、鉄道・バスの乗車券や施設の入場許可証などに広く利用されている。
なお、非接触式ICカードであるが接点端子を有するものがあり、そのカードの有するCPUの数に応じて種別され、CPUを１つ有するコンビ型やCPUを２つ有するハイブリッド型といったものがある。
【０００５】
これらの非接触式ICカードのケースとしては、ICカードを収納可能な空間を有するICカードケースがあり、例えば特許文献１に記載のICカードケースがある。
このICカードケースは、ICカードを収納する空間を構成する面の一方に電磁シールド層を含む略膜状体を有しており、ICカードにノイズなどの大きな電磁波が照射されてもこの略膜状体の電磁シールド効果によりICカードの内部に大きな電流が発生することがなく、したがってICカードのデータや半導体チップなどが破壊されることを防止することができるものである。
【特許文献１】特開２００３−１２１９４１
【考案の開示】
【考案が解決しようとする課題】
【０００６】
前述のように、ICカードケースは一般的に実用品として設計されているものが多く、遊び心のあるものがなかった。
そこで本考案は、電磁波を利用して発音や発光を行うための発音回路を有する、遊び心のあるICカードケースを提供する。
【課題を解決するための手段】
【０００７】
本考案に係るICカードケースは、ICカードを収納するカードホルダー部を備えたICカードケースであって、音声データが格納される音声メモリを内蔵した音声ICとこの音声ICに接続されるスピーカ・バッテリー・アンテナコイルにより構成される発音回路を本体部に内蔵するものである。
【０００８】
そして、ICカードを収納するカードホルダー部は、本体部の裏面と略一致した平面形状であって、長辺壁面上部及び短辺壁面上部に爪を有し、本体部は裏面の長辺側周縁と短辺側周縁にホールド孔を有してカードホルダー部を着脱自在とされている。
【０００９】
そして、この音声ICは、アンテナコイルが電磁波を受信した時、音声メモリからデータを読み出して音声信号をスピーカに出力する制御手段を有するものである。
【００１０】
また前記本体部は、中空の厚肉板状体形状とすることが好ましく、前記本体部の内部に音声ICに接続された発光手段を外部から視認可能とし、この発光手段を制御手段によりスピーカの発音時に発光させるものとしてもよい。この発光手段はLEDであることが好ましい。
さらに、前記音声データは、キャラクタやタレントの声を録音したものとしてもよい。
【００１１】
そして、ICカードを収納するカードホルダー部は、本体部の裏面と略一致した平面形状であって、長辺壁面上部及び短辺壁面上部に爪を有し、本体部は裏面の長辺側周縁と短辺側周縁にホールド孔を有してカードホルダー部を着脱自在とされており、また、前記本体部にモニタスイッチを有し、モニタスイッチがオン状態とされると制御手段は音声信号をスピーカに出力するものとしてもよい。
【考案の効果】
【００１２】
本考案に係るICカードケースは、ICカードを収納するカードホルダー部を備えたICカードケースであって、音声データが格納される音声メモリを内蔵した音声ICとこの音声ICに接続されるスピーカ・バッテリー・アンテナコイルにより構成される発音回路を本体部の内部に備えているため、発音機能を備えたICカードケースとして提供することができる。
【００１３】
カードホルダー部は、本体部の裏面と略一致した平面形状であって、長辺壁面上部及び短辺壁面上部に爪を有し、本体部は裏面の長辺側周縁と短辺側周縁にホールド孔を有してカードホルダー部を着脱自在とされているため、カードホルダー部を本体部の裏面に合わせて爪とホールド孔とを係合させることにより、ICカードを写真などと一緒にICカードケースの裏面のカードホルダー部270へ収納することが出来る。
【００１４】
また、この音声ICは、アンテナコイルが電磁波を受信した時、音声メモリからデータを読み出して音声信号をスピーカに出力する制御手段を有するため、ICカードケースをカードリーダライタに近付けることで音声を発声することができる。
【００１５】
前記本体部は、厚肉の板状体形状であることにより、ポケットやバックに嵩張ることなく収納可能とすることができる。
【００１６】
前記本体部の内部に音声ICに接続された発光手段が外部から視認可能とされ、この発光手段を制御手段によりスピーカの発音時に発光させることで、本ICカードケースをカードリーダライタに近付けたときに、発音すると同時に発光手段が発光して楽しむことができる。
【００１７】
前記発光手段はLEDとされることで、高輝度かつ長寿命な発光手段を備えてICカードケースの発光をより一層楽しむことができる。
【００１８】
前記音声データは、キャラクタやタレントの声を録音したものとすることで、ICカードケースの発音をより一層楽しいものとすることができる。
【００１９】
前記本体部にモニタスイッチを有し、モニタスイッチがオン状態とされると制御手段は音声信号をスピーカに出力する
【考案を実施するための最良の形態】
【００２０】
本考案に係るICカードケースの最良の形態は、以下のICカードケースである。
本体部100の裏面に設置されるカードホルダー部と厚肉の板状体形状である本体部100を有し、この本体部に音声データが格納される音声メモリを内蔵した音声ICとこの音声ICに接続されるスピーカ・バッテリー・アンテナコイルにより構成される発音回路を内蔵し、前記音声ICは、アンテナコイルが電磁波を受信した時、音声メモリからキャラクタなどの音声データを読み出して音声信号をスピーカに出力する制御手段を有する。また、この発音回路を本体部の内部に備え、さらに前記本体部の内部に音声ICに接続された発光手段を外部から視認可能に備え、この発光手段を制御手段によりスピーカの発音時に発光させる。そして、前記本体部にモニタスイッチを有し、モニタスイッチがオン状態とされると制御手段は音声信号をスピーカに出力するICカードケースである。
【実施例】
【００２１】
図１から図３を参照して、本考案に係るICカードケースの構成を説明する。
本考案に係るICカードケースは、図１に示すように、厚肉の板状体である本体部100を有し、また、図２に示すように、この本体部100に内設されるスピーカ210・LED225・回路ケース220・バッテリホルダ230・バッテリ233・アンテナコイル240及び回路ケースに収納される音声IC300とから構成されるものである。
【００２２】
本体部100の上面パネルは、図２に示したように、本体部100を中空を形成する板状体であり、各縁部は湾曲して形成されている。
そしてこの上面パネルの中心付近に、図２に示すように、LED225の光を外部に透過させるためのLED窓125と、モニタスイッチ窓123、スピーカ窓110とが列設される。
【００２３】
また、本体部100の裏面には、図３に示すように、長辺の縁部上方に孔の幅の広い挿入孔部251を有するスライドホールド孔250が、短辺の縁部中央に係合突起を下方端部に有するホールド孔253が設けられる。
【００２４】
そして、この本体部100の裏面に設置されるカードホルダー部270は、図４に示すように、上面を開口とされる厚さの薄い直方体形状の透明な容器であり、その平面形状は本体部100の裏面の形状と略一致し、長辺の壁部上方にスライドホールド爪273が設けられ、下方の短辺の壁部にはホールド爪275が設けられる。
【００２５】
そして、カードホルダー部270と本体部100との間にICカード400と写真410とを挿入するものとし、写真の表をカードホルダー部に向け、その上にICカードを乗せるようにして、このカードホルダー部270にICカードと写真などを収納する。そして、図５に示すように、カードホルダー部270のスライドホールド爪273を本体部100裏面のスライドホールド孔250の挿入孔部251へ挿入し、また、ホールド爪275をホールド孔253へ挿入して、本体部100の裏面とカードホルダー部270とを合わせる。
【００２６】
そして、カードホルダー部270を下方にスライドさせて、スライドホールド爪273をスライドホールド孔250の幅の狭い方へスライドして係合させ、また、ホールド爪275をホールド孔253の係合突起に押し当て乗り越えさせて係合する。
これにより、ICカードを写真などと一緒にICカードケースの裏面のカードホルダー部270へ収納することが出来る。
【００２７】
そして、短い辺の一方の縁部にはストラップ通孔260の支持部が突設され、この支持部にストラップ通孔260が穿設される。
このストラップ通孔260にストラップの取り付け紐を通してくくり付けることで、このICカードケースの持ち運びをより一層容易とすることができる。
【００２８】
本体部100の内部には、バッテリホルダ230に格納されたバッテリ233と、回路ケース220内の音声回路、スピーカ210、巻設されたアンテナコイル240とが内接される。
【００２９】
回路ケース220の表面にはモニタスイッチ223とLED225が配設され、また、回路ケース220の内部には音声IC300などが収納されている。
このモニタスイッチ223は上面パネルのモニタスイッチ窓123から突出しており、このスイッチを押圧することにより発音回路のON/OFFを行うものである。
【００３０】
本体部100の内部に設置される発音回路は、図６に示すように、音声IC300にスピーカ210・バッテリ233・LED225・アンテナコイル240が接続されるものである。
【００３１】
スピーカ210は永久磁石を用いたコイルにより電気信号を音波に変換するものであり、バッテリ233は発音回路に電力を供給するものであり、LED225は電圧が付加されると電気エネルギーを光エネルギーに変換するものであり、アンテナコイル240はコイル内側の電磁波密度の変化により起電力を生じさせるものである。
【００３２】
ICカードケースをカードリーダライタに近付けると、カードリーダライタの発する電磁波によりICカードケースのアンテナコイル240に起電流が発生する。この起電流が抵抗R2を通ることにより抵抗R2に電圧が発生する。これによりトランジスタが導通し、音声IC300の入力端子BP00の電圧が０となることで検知信号が音声IC300に入力されて、音声IC300は作動する。
【００３３】
この音声IC300は、内蔵する制御手段により、検知信号が入力されたときは音声メモリに格納された音声データを取り出してからスピーカ210に出力すると同時に、LED225に電圧を印加して発光させるものである。
そして、スピーカ210内部のD/A変換装置により音声データをアナログ信号に変換して、スピーカ210により音波として拡声する。
【００３４】
この音声データは、キャラクターやタレントなどの声や、動物の鳴き声や雷の音などの自然の音などを音源として音声メモリに記録するものである。
【００３５】
したがって、ICカードケースをカードリーダライタに近付けると、ICカードケースが「僕、ドラえもん！！」などの発声をすると共に、LED225を発光させることで、ICカードの読み書き時におけるICカードケースの反応を楽しむことができる。これにより、ICカードの読み書きという無機質な動作に、遊ぶ楽しみを加えることができる。
【００３６】
そして、一連の発音と発光とが終了すると、制御手段は音声IC300を自動的にスリープ状態として、次にアンテナコイル240に起電力が発生する時に備えるものである。
【００３７】
また、モニタスイッチ223をONとすることによっても、発音回路を動作させることができる。これにより、カードリーダライタを用いることなく本考案に係るICカードケースの動作を確認することができる。
したがって、本考案に係るICカードケースを商品棚に陳列した際に、購入者などがこのICカードケースの動作を確認することを容易とすることができる。
【００３８】
このICカードケースに収納するICカードとしては、例えば電車の乗車定期券などがある。この乗車定期券のカードリーダは駅の自動改札に内蔵されているものである。
そして、この乗車定期券を収納した本考案に係るICカードケースを駅の自動改札のカードリーダに近付けると、電車の運賃精算と同時にICカードケースが発声すると共にLED225を発光させて楽しむことができる。
【００３９】
また、上面パネルの形状をキャラクタや動物などの外観を模した形状としてもよく、この場合の上面パネルの材質は綿を詰め込んだ布地などとしても良い。このときホールド孔を有する本体部100の裏面を、動物の腹部や背中部、車のシャシーの底面などの平面を構成している部位に位置させると良い。
【００４０】
また、本考案に係るICカードケースを人形に埋め込むものとしてもよい。この場合、動物の腹部や背中部、車のシャシーの底面などの平面を構成している部位にICカードケースの本体部100の裏面が位置するように配置することで、カードリーダライタへICカードを読取らせることを容易とする。
【００４１】
なお、本考案は、以上の実施例の形態に限定されるものでなく、考案の要旨を逸脱しない範囲で自由に変更、改良が可能である。
【図面の簡単な説明】
【００４２】
【図１】本考案に係るICカードケースの外観を示す図。
【図２】本考案に係るICカードケースの内部構造のを示す分解斜視図。
【図３】本考案に係るICカードケースの本体部の裏面を示す外観図。
【図４】本考案に係るICカードケースにICカードを収納する状態を示す分解図。
【図５】本考案に係るICカードケースのICカードの収納方法を示す外観図。
【図６】本考案に係るICカードケースの発音回路の回路図。
【符号の説明】
【００４３】
100    本体部
110    スピーカ窓
123    モニタスイッチ窓
125    LED窓
210    スピーカ
220    回路ケース
223    モニタスイッチ
225    LED
230    バッテリホルダ
233    バッテリ
240    アンテナコイル
250    スライドホールド孔
251    挿入孔部
253    ホールド孔
253    当止突起
260    ストラップ通孔
270    カードホルダー部
273    スライドホールド爪
275    ホールド爪
300    音声IC
400    ICカード
410    写真
【図１】
0003116091.tif 000003
【図２】
0003116091.tif 000004
【図３】
0003116091.tif 000005
【図４】
0003116091.tif 000006
【図５】
0003116091.tif 000007
【図６】
0003116091.tif 000008